【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】複数のトランクポートであって、共通の宛て先への複合トランクとして機能する複数のトランクに対する複数のポートの複合ポートを有する複数のトランクポートと、
トランクポート間のデータパケットを各ノードにおいて伝送する複数ノードのルーティングファブリックであって、ポート間のパスがファブリックのノードを介する複数のホップを含み、複合ポートが複数のノードからのポートを含む、ルーティングファブリックと、
複合ポートからパケットに対して出力ポートを選択する、入力ノードにおける出力ポートセレクタとを備えたネットワークルータ。
【請求項２】請求項１において、前記出力ポートセレクタが、複合トランクの単一トランク上にパケットフローを経路選択することにより、フロー中のパケットの順番を維持するネットワークルータ。
【請求項３】請求項２において、前記出力ポートセレクタが、さらに、ルータファブリックを通して単一経路に沿ってパケットフローを経路選択することにより、フロー中のパケットの順番を維持するネットワークルータ。
【請求項４】請求項１において、前記出力ポートセレクタが、複合トランクのトランクにまたがる負荷をバランスさせるネットワークルータ。
【請求項５】請求項１において、前記出力ポートセレクタが、複合トランクのトランクにまたがる負荷を動的にバランスさせるネットワークルータ。
【請求項６】請求項１において、前記出力ポートセレクタが、入力ポートからルーティングファブリック上で移送させる距離の短い出力ポートを重視するネットワークルータ。
【請求項７】請求項１において、前記出力ポートセレクタが、複合ポート中の出力ポートをテーブル検索により決定するネットワークルータ。
【請求項８】請求項１において、前記出力ポートセレクタが、宛て先アドレスを複合トランクにマッピングするルーティングテーブルを備えたネットワークルータ。
【請求項９】請求項８において、前記出力ポートセレクタが、さらに、複合トランクをルーティングファブリック内の経路セットにマッピングするフォワーディングテーブルを備えたネットワークルータ。
【請求項１０】請求項９において、前記出力ポートセレクタが、複合トランクの単一トランク上にパケットフローを経路選択することにより、フロー中のパケットの順番を維持するネットワークルータ。
【請求項１１】請求項１０において、前記出力ポートセレクタが、さらに、ルータファブリックを通して単一経路に沿ってパケットフローを経路選択することにより、フロー中のパケットの順番を維持するネットワークルータ。
【請求項１２】請求項１０において、前記ネットワークがインターネットであり、前記宛て先アドレスがインターネットプロトコルアドレスであるネットワークルータ。
【請求項１３】請求項１２において、前記ルーティングファブリックが、３次元トーラスであるネットワークルータ。
【請求項１４】請求項９において、前記出力ポートセレクタが、複合トランクのトランクにまたがる負荷をバランスさせるネットワークルータ。
【請求項１５】請求項９において、前記出力ポートセレクタが、複合トランクのトランクにまたがる負荷を動的にバランスさせるネットワークルータ。
【請求項１６】請求項９において、前記出力ポートセレクタが、入力ポートからルーティングファブリック上で移送させる距離の短い出力ポートを重視するネットワークルータ。
【請求項１７】請求項８において、前記出力ポートセレクタが、さらに、複合トランクを出力ポートセットにマッピングするフォワーディングテーブルを備えたネットワークルータ。
【請求項１８】請求項１７において、前記出力ポートセレクタが、さらに、出力ポートをルーティングファブリック内の経路セットにマッピングするフォワーディングテーブルを備えたネットワークルータ。
【請求項１９】請求項１７において、前記出力ポートセレクタが、複合トランクの単一トランク上にパケットフローを経路選択することにより、フロー中のパケットの順番を維持するネットワークルータ。
【請求項２０】ネットワーク上でパケットを経路選択する方法であって、
ルーティングファブリックへの入力においてパケットの宛て先を識別し、
ルーティングファブリックの複数のノードから、この宛て先に対して複合トランクを形成する複数トランクの一つを選択し、
ルーティングファブリックを介してこの宛て先に向かうパケットを選択されたトランク上に送出する、パケットの経路選択方法。
【請求項２１】請求項２０において、複合トランクの単一トランク上にパケットフローを経路選択することにより、フロー中のパケットの順番を維持するようにトランクが選択される経路選択方法。
【請求項２２】請求項２１において、単一経路に沿ってパケットフローを経路選択することにより、フロー中のパケットの順番を維持するようにルーティングファブリック内の経路が選択される経路選択方法。
【請求項２３】請求項２０において、前記トランクが、複合トランクのトランクにまたがる負荷をバランスさせるように選択される経路選択方法。
【請求項２４】請求項２０において、前記トランクが、複合トランクのトランクにまたがる負荷を動的にバランスさせるように選択される経路選択方法。
【請求項２５】請求項２０において、前記トランクが、前記ルーティングファブリック上の入力および出力ポートの間の短い距離を重視するように選択される経路選択方法。
【請求項２６】請求項２０において、前記トランクが、テーブル検索により選択される経路選択方法。
【請求項２７】請求項２０において、前記複数のトランクの一つを選択する工程が、宛て先アドレスから複合トランクをルーティングテーブル検索により決定する工程を有する経路選択方法。
【請求項２８】請求項２７において、前記複数のトランクの一つを選択する工程が、さらに、ルーティングファブリック内の経路をフォワーディングテーブル検索により決定する工程を有する経路選択方法。
【請求項２９】請求項２８において、ファブリック内の経路が、フロー中のパケットの順番を維持するように選択される経路選択方法。
【請求項３０】請求項２９において、 単一ルートに沿ってパケットフローを経路選択することにより、ルーティングファブリック内の経路が、フロー中のパケットの順番を維持するように選択される経路選択方法。
【請求項３１】請求項２８において、前記トランクが、複合トランクのトランクにまたがる負荷をバランスさせるように選択される経路選択方法。
【請求項３２】請求項２８において、前記トランクが、複合トランクのトランクにまたがる負荷を動的にバランスさせるように選択される経路選択方法。
【請求項３３】請求項２８において、前記トランクが、ルーティングファブリック上の入力および出力ポートの間の短い距離を重視するように選択される経路選択方法。
【請求項３４】請求項２０において、パケットに含まれている最終宛て先の識別子から前記宛て先が識別される経路選択方法。
【請求項３５】請求項３４において、前記ネットワークがインターネットであり、前記パケットがインターネットプロトコルに基づいて経路選択される経路選択方法。
【請求項３６】請求項３５において、前記パケットが入力ポートから出力ポートへの３次元トーラスファブリック上のルーティングファブリック内で経路選択される経路選択方法。
【請求項３７】複数のトランクポートであって、共通の宛て先への複合トランクとして機能する複数のトランクに対する複数のポートの複合ポートを有する複数のトランクポートと、
トランクポート間のデータパケットを伝送するルーティングファブリックと、
複合ポートからパケットに対して出力ポートを選択する出力ポートセレクタであって、調節可能な重み付けに従って複合トランクのトランクにまたがる負荷をバランスさせる出力ポートセレクタとを備えたネットワークルータ。
【請求項３８】複数のトランクポートであって、共通の宛て先への複合トランクとして機能する複数のトランクに対する複数のポートの複合ポートを有する複数のトランクポートと、
トランクポート間のデータパケットを伝送するルーティングファブリックと、
テーブルに従って複合ポートからパケットに対して出力ポートを選択する出力ポートセレクタであって、前記テーブルの経路が調節可能である、ネットワークルータ。
【請求項３９】請求項３８において、前記テーブルが、複合トランクのトランクにまたがる負荷をバランスさせるために動的に調節可能である、ネットワークルータ。
【請求項４０】ネットワーク上でパケットを経路選択する方法であって、
パケットの宛て先を識別する工程と、
この宛て先に対して複合トランクを形成する複数トランクの一つを選択する工程であって、複合トランクのトランクにまたがって負荷をバランスさせるために調節可能な重み付けをして前記トランクが選択される工程と、
この宛て先に向かうパケットを選択されたトランク上に送出する工程とを備えた、パケットの経路選択方法。
【請求項４１】請求項４０において、パケットに含まれている最終宛て先識別子から前記パケット宛て先が識別される経路選択方法。
【請求項４２】請求項４１において、前記ネットワークがインターネットであり、前記パケットがインターネットプロトコルに基づいて経路選択される経路選択方法。
【請求項４３】ネットワーク上でパケットを経路選択する方法であって、
パケットの宛て先を識別する工程と、
この宛て先に対して複合トランクを形成する複数トランクの一つを選択する工程であって、前記トランクがテーブルに従って選択され、このテーブルの経路が調節可能である工程と、
この宛て先に向かうパケットを選択されたトランク上に送出する工程とを備えた、パケットの経路選択方法。
【請求項４４】請求項４３において、前記テーブルが、複合トランクのトランクにまたがって負荷をバランスさせるために動的に調節可能である経路選択方法。